【手続補正書】
【提出日】平成17年12月19日(2005.12.19)
【手続補正１】
【補正対象書類名】手続補正書
【補正対象項目名】手続補正２
【補正方法】変更
【補正の内容】
【手続補正２】
【補正対象書類名】明細書
【補正対象項目名】全文
【補正方法】変更
【補正の内容】
【発明の詳細な説明】
【発明の名称】からだ洗い機  楽楽ＶＩ
【技術分野】
【０００１】    本発明は、駆動モーター（３）により回転される偏心円（１４）と偏心円受けプレート（４）の嵌合によって、ブラシ（５）が上下の往復運動を行うその製造方法に関する。
【発明が解決しようとする課題】
【０００２】    従来のからだ洗い機、と言っても世の中には余り出ていませんが、身体を洗うブラシの部分が回転して身体を洗うため洗剤が飛び散り、不経済なのと、身体を洗うブラシの外周にいく程、こするスピードが速いので、洗い方が均一に洗えないと言う点があった。
【０００３】    本発明は身体の前、身体の後ろ、身体の両側をブラシ（５）の角度を変えて洗い、上下往復運動を繰り返しながら昇降し身体を一通り洗うことを目的としており、その製造方法を提供することを目的としている。
【課題を解決するための手段】
【０００４】    上記目的を達成するために本発明の身体洗い機は、三角形の形をした上板と下板の間に正面から向かって手前側に身体を洗うブラシ（５）と、身体を洗うブラシを支えるプレート（４）を挟むようにして立設された２本のガイドレール兼本体フレーム（７）、後ろ側に駆動モーター（３）を上下動させるための３本のガイドレール兼本体フレーム（８）
（１１）の合計５本のガイドレール兼本体フレームで組み立てられたフレームで、上板の上には駆動モーター（３）を上下動させるための駆動モーター（１５）、巻き上げギア（１７）、吊り下げ用ギア（１８）、吊り下げロープ（９）とを備えている。また特許請求の範囲、請求項１の考案は、身体を洗うブラシ（５）の部分が洗う人の背中に対して平行の状態（図１２）（図１３）（図１６）の時は、洗う人の背中、お尻、太ももの裏側、ふくらはぎを洗うことが出来、身体を洗うブラシ（５）の部分が洗う人の背中に対して、直角の状態（図１１）（図１４）（図１５）に角度を変えてブレ止めピン（２１）を差し込んだときは腕の内側、脇、そして両足の内側、股間を洗うことが出来る。また特許請求の範囲、請求項２の考案は特許請求の範囲、請求項１の身体を洗うブラシ（５）の部分の取り付けの根元になっている部分で、偏心円受けプレート（４）と言い、中心部分に大きな穴があいていて、その中央には身体を洗うブラシ（５）を駆動させる駆動モーター（３）の回転軸に偏心円（１４）を取り付けて、その偏心円を偏心円受けプレート（４）の中に嵌合している。偏心円と偏心円受けプレートとの隙間は、上下の隙間は殆どなく、左右の隙間は偏心円（１４）が偏心円受けプレート（４）の中心部分の大きな穴の中で、一回転出来るだけの左右のスペースを作ることによって、偏心円受けプレート（４）は２本の立設されたサイドレール兼本体フレーム（７）に挟まれているので、駆動モーター（３）が回転を始めると偏心円（１４）が回転を始め、偏心円受けプレート（４）は偏心円との隙間の関係上２本の立設されたサイドレール兼本体フレーム（７）との間で上下には動いても左右には動かない。
身体を洗うブラシ（５）は回転せず上下動をするので、回転して洗うブラシの時のようなブラシの外周に行くほど早く擦れて回り、ブラシの中心に近づく程擦れる速さが遅くなる不均一な洗い方はなくなり。また回転して洗うブラシの時のような遠心力はないので、洗剤が飛び散ることがなくなる。
【０００５】    駆動モーター（３）は防水で、嵌合部は回転運動を上下の往復運動に変換するために偏心円（１４）と偏心円受けプレート（４）を使用。偏心円受けプレート（４）はサイドローラー（１０）を介してサイドレール（７）の中を上下に移動できる。
【発明を実施するための最良の形態】
【０００６】    発明の実施の形態を実施例に基づき図面を参照して説明する。
本体フレーム（１）は偏心円受けプレート（４）のサイドレール（７）と駆動モーター（３）のサイドレール（８）と駆動モーター（３）のバックレール（１１）の合計５本の柱と上板と下板で構成している。駆動モーター（３）は回転運動を上下の往復運動に変換する時、横揺れ、縦揺れ、ネジレ等に対処するために駆動モーターの両側（１３）と後ろ側（１２）に上下にできるだけ距離を離して２個ずつ、合計６個の固定輪を取り付け、横揺れ、縦揺れ、ネジレに対応、駆動モーター（３）の回転運動を偏心円（１４）と偏心円受けプレート（４）を介して上下往復運動に変換。図８のＤは偏心円（１４）が駆動モーターのシャフト（２０）を中心に回転する外径で、図１０は１枚のプレート（４）の内側に、縦は図８のＥの長さに切断し、横は図８のＤの長さに切断し、穴を開けその中に偏心円（１４）を挿入し、回転すると偏心円（１４）は横には自由に移動出来る。しかし縦には移動できないのでプレート（４）を図８のＦの長さ分を持ち上げ、持ち下げる。偏心円受けプレート（４）は上下の往復運動がスムーズに出来るように図８の偏心円（１４）の外周にベアリング（１９）を挿入し、サイドローラー（１０）を入れてサイドレール兼フレーム（７）の中に収まっている。ブラシ（５）は両面に毛を植えて偏心円受けプレート（４）に対して平行の状態の時は身体の前側と後ろ側を洗うことが出来る。偏心円受けプレート（４）に対して直角の時は脇や股間を洗うことが出来る。操作の切替は、ブレ止めピン（２１）を引いてブラシ（５）の位置を回してブレ止めピン（２１）を押す。
この上下往復洗い装置を昇降しているのが、吊り下げロープを介して上板に取付けられている巻き上げ駆動モーター（１５）とギヤボックス（２）である。
【図面の簡単な説明】
【０００７】
【図１】身体洗い機本体の斜視図である。
【図２】身体洗い機の立面図である。
【図３】図２のＡ−Ａ断面図である。
【図４】身体洗い機の平面図である。
【図５】駆動モーター（３）に偏心円を取付けた図である。
【図６】偏心円受けプレート（４）の斜視図である。
【図７】図２のＢ−Ｂ断面図である。
【図８】偏心円の回転図である。
【図９】偏心円と偏心円受けプレートの斜視図である。
【図１０】偏心円受けプレートの上下往復運動の説明図である。
【図１１】モーター（３）からブラシ（５）までの駆動の伝達状態と、ブラシ（５）が身体洗い機本体に対して直角になった図である。
【図１２】モーター（３）からブラシ（５）までの駆動の伝達状態と、ブラシ（５）が身体洗い機本体に対して平行になった図である。
【図１３】ブラシ（５）が偏心円受けプレート（４）に対して平行の状態の斜視図である。
【図１４】ブラシ（５）が偏心円受けプレート（４）に対して直角の状態の斜視図である。
【図１５】ブラシ（５）で脇を洗っている図である。
【図１６】ブラシ（５）で背中を洗っている図である。
【符号の説明】
【０００８】１  身体洗い機本体のフレーム
２  ギヤボックス
３  ブラシの駆動モーター
４  偏心円受けプレート
５  ブラシ
６  ブラシ（５）の取付けブラケット
７  偏心円受けプレート（４）のサイドレール兼本体フレーム
８  駆動モーター（３）のサイドレール兼本体フレーム
９  吊り下げロープ
１０偏心円受けプレート（４）のサイドローラー
１１駆動モーター（３）のバックレール兼本体フレーム
１２駆動モーター（３）の後ろ側固定輪
１３駆動モーター（３）のサイド側固定輪
１４偏心円
１５巻き上げ駆動モーター
１６吊り下げロープ通し穴
１７巻き上げ駆動モーターギヤ
１８吊り下げプーリー用ギヤ
１９ベアリング
２０駆動モーター（３）のシャフト
２１ブラシ（５）のブレ止め
【手続補正２】
【補正対象書類名】手続補正書
【補正対象項目名】手続補正３
【補正方法】変更
【補正の内容】
【手続補正３】
【補正対象書類名】図面
【補正対象項目名】図１１
【補正方法】変更
【補正の内容】
【図１１】
2005261872.tif 000001
【手続補正３】
【補正対象書類名】手続補正書
【補正対象項目名】手続補正４
【補正方法】変更
【補正の内容】
【手続補正４】
【補正対象書類名】図面
【補正対象項目名】図１２
【補正方法】変更
【補正の内容】
【図１２】
2005261872.tif 000002
【手続補正４】
【補正対象書類名】手続補正書
【補正対象項目名】手続補正５
【補正方法】変更
【補正の内容】
【手続補正５】
【補正対象書類名】図面
【補正対象項目名】図１３
【補正方法】変更
【補正の内容】
【図１３】
2005261872.tif 000003
【手続補正５】
【補正対象書類名】手続補正書
【補正対象項目名】手続補正６
【補正方法】変更
【補正の内容】
【手続補正６】
【補正対象書類名】図面
【補正対象項目名】図１４
【補正方法】変更
【補正の内容】
【図１４】
2005261872.tif 000004
【手続補正６】
【補正対象書類名】手続補正書
【補正対象項目名】手続補正７
【補正方法】変更
【補正の内容】
【手続補正７】
【補正対象書類名】図面
【補正対象項目名】図１５
【補正方法】変更
【補正の内容】
【図１５】
2005261872.tif 000005
【手続補正７】
【補正対象書類名】手続補正書
【補正対象項目名】手続補正８
【補正方法】変更
【補正の内容】
【手続補正８】
【補正対象書類名】図面
【補正対象項目名】図１６
【補正方法】変更
【補正の内容】
【図１６】
2005261872.tif 000006
【手続補正８】
【補正対象書類名】手続補正書
【補正対象項目名】手続補正９
【補正方法】変更
【補正の内容】
【手続補正９】
【補正対象書類名】図面
【補正対象項目名】図１７
【補正方法】削除
【補正の内容】
【手続補正９】
【補正対象書類名】手続補正書
【補正対象項目名】手続補正１０
【補正方法】削除
【補正の内容】